(57)【特許請求の範囲】
【請求項１】
アウターシェルが荷重を支持する構造部材であり、その下面中央部を脚の上端部に取着された座受部材に支持させるとともに、その下面側部もしくはその近傍に設定したオプション部材取付位置に選択的に肘掛けやメモ台等のオプション部材を取り付けるようにした椅子であって、
補強部材をアウターシェルの上面に添設し、止着具によって補強部材を前記座受部材にアウターシェルを挾圧しつつ止着するとともに、補強部材に設定したオプション部材取付部をアウターシェルのオプション部材取付位置の内面に位置づけてなることを特徴とする椅子。
【請求項２】
アウターシェルのオプション部材取付位置に添設したオプション部材を、アウターシェルを貫通する止着具により補強部材のオプション部材取付部に止着してなることを特徴とする請求項１記載の椅子。
【請求項３】
アウターシェルの上面において、オプション部材取付位置の近傍に成形金型の割方向に一致する補強部材取付孔を設けるとともに、補強部材に設定した取付部を補強部材取付孔の軸心と直交するように設定し、止着具によって補強部材の取付部を補強部材取付孔に止着していることを特徴とする請求項１または２記載の椅子。
【発明の詳細な説明】
【０００１】
【産業上の利用分野】
本発明は、オフィス等で好適に使用される椅子に関するものである。
【０００２】
【従来の技術】
従来、背座一体形椅子として、例えば、座対応部分及び背もたれ対応部分を一体に成形してなる側面視Ｌ字形のインナーシェルと、このインナーシェルを支持し背もたれを座と連動させて傾動させる座受部材とを具備してなるものが知られている。このような背座一体形椅子は、インナーシェルの座対応部分にクッション材を装着して座を構成するとともに、背もたれ対応部分にクッション材を装着して背もたれを構成し、インナーシェルの外側に、インナーシェルと座受部材との取付部分等を隠蔽するためのアウターシェルを外装している。
【０００３】
ところが、このような構成のものでは、比較的強度の高いインナーシェルと意匠的な処理が施されたアウターシェルの両者が不可欠である。そのため、部品点数を削減するのが難しく、部品の製作や組立に多くの工数を要するという問題がある。
【０００４】
そこで、このような不具合を解消するために、アウターシェルを荷重を支持するための構造部材として、実質的にインナーシェルを用いない構造とすることが考えられている。
【０００５】
【発明が解決しようとする課題】
ところで、椅子には適宜肘掛けやメモ台等のオプション部材が取り付けられる。従来の椅子においては、外観はアウターシェルにより覆われることから、インナーシェルや座受部材に対しては比較的自由な位置に補強部材を取り付けてインナーシェルの補強をすることができた。ところが、インナーシェルを用いず、アウターシェルを座等に掛かる荷重を直接支持するための構造部材として用いるようにした椅子においても、外観を損なわずにアウターシェルの座受部材への取付強度の向上、あるいはオプション部材を取付けた際のアウターシェルの補強を行うためには、補強部材を取り付ける位置は外部から視認できない位置に限定されることになる。このような条件が満たされない限り、アウターシェルを荷重支持のための構造部材として利用するという着想を実現化することは難しい。
【０００６】
本発明は、このような課題を有効に解決することを目的としている。
【０００７】
【課題を解決するための手段】
本発明は、かかる目的を達成するために、次のような構成を採用したものである。すなわち、本発明に係る椅子は、アウターシェルが荷重を支持する構造部材であり、その下面中央部を脚の上端部に取着された座受部材に支持させるとともに、その下面側部もしくはその近傍に設定したオプション部材取付位置に選択的に肘掛けやメモ台等のオプション部材を取り付けるようにした椅子であって、補強部材をアウターシェルの上面に添設し、止着具によって補強部材を前記座受部材にアウターシェルを挾圧しつつ止着するとともに、補強部材に設定したオプション部材取付部をアウターシェルのオプション部材取付位置の内面に位置づけてなることを特徴とする。
【０００８】
オプション部材は、アウターシェルのオプション部材取付位置に添設して、アウターシェルを貫通する止着具により補強部材のオプション部材取付部に止着したものが挙げられる。
【０００９】
補強部材をアウターシェルに固定する構造としては、アウターシェルの上面において、オプション部材取付位置の近傍に成形金型の割方向に一致する補強部材取付孔を設けるとともに、補強部材に設定した取付部を補強部材取付孔の軸心と直交するように設定し、止着具によって補強部材の取付部を補強部材取付孔に止着してなるものが挙げられる。
【００１０】
【作用】
このような構成の椅子であれば、補強部材は外部から視認できない位置にあり、外観を損なうことなくアウターシェルの座受部材への取付強度を向上させることができる。また、補強部材のオプション部材取付部はアウターシェルのオプション部材取付位置の内面に添設しているので、オプション部材とアウターシェルとの取付強度の補強も同時に実現できる。このため、アウターシェルを荷重を支持するための構造部材として利用することが可能となる。
【００１１】
また、オプション部材をアウターシェルを貫通する止着具により補強部材のオプション部材取付部に止着する構成とすれば、アウターシェルを挾圧しつつオプション部材と補強部材を固定できるため、オプション部材とアウターシェルとの取付強度をより確実に補強することができる。
【００１２】
また、補強部材をアウターシェルに取り付ける構造として、アウターシェルの上面においてオプション部材取付位置の近傍に成形金型の割方向に一致する補強部材取付孔を設け、補強部材に止着具を挿通して補強部材取付孔に止着する構造とすれば、補強部材取付孔をアウターシェルに設けるための成形金型の加工は容易でありコストダウンを図ることが可能である。また、補強部材取付孔の軸心がオプション部材を介して補強部材にかかる荷重の方向に対し一定の角度を有しているため、補強部材に荷重が作用しても止着具に直接大きな引抜力等が働くことはなく、より確実で高い止着強度を実現できる。
【００１３】
【実施例】
以下、本発明の一実施例を、図１〜図６を参照して説明する。
【００１４】
この椅子は、図１に示すように、脚１と、脚１に取付けられる座受部材２と、下面中央部において座受部材２に止着されるアウターシェル３と、アウターシェル３の下面側部のオプション部材取付位置３ａにおいて取り付けられるオプション部材たる肘掛け４と、アウターシェル３の前面側に装着される座５及び背もたれ６とを具備してなる。
【００１５】
脚１は、脚羽根１１の中心部に脚柱１２を立設したもので、その脚柱１２の上端部に座受部材２を取着している。
【００１６】
座受部材２は、図２に示すように、脚柱１２上に支承された舟形の支持基部２１と、支持基部２１の上方に位置させて前後方向に配向され後作用点２２ａと前作用点２２ｂとの間に設定した枢着点２２ｃを支持基部２１の側壁に枢着した天秤部材２２と、天秤部材２２の後部に設けた背支桿２３と、天秤部材２２に沿って前後方向に配設した下向コ字形の座受部２４と、座受部２４の後端側に設定した支持点２４ａを天秤部材２２の後作用点２２ａに連結する後リンクメンバ２５と、座受部２４の前端側に設定した支持点２４ｂを天秤部材２２の前作用点２２ｂに連結する前リンクメンバ２６とを具備してなる。この前リンクメンバ２６は更に前作用点２２ｂおよび枢着点２４ｂの何れからも偏位した部位２６ａを支持基部２１の側壁に枢着されている。
【００１７】
この座受部材２の挙動について説明する。背支桿２３に図中矢印方向の荷重Ｆが作用すると、天秤部材２２の枢着点２２ｃを支点にしてその後作用点２２ａが下方に回動するとともに前作用点２２ｂが上方に回動する。このとき、前リンクメンバ２６は支持基部２１に枢着されているため、その枢着点２６ａを支点にして支持点２４ｂを図中反時計回りに回動させ、この前リンクメンバ２６に連結されている座受部２４を前方上方へ案内する。すると、座受部２４の後端側の支持点２４ａと天秤部材２２の後作用点２２ａとは後リンクメンバ２５を介して連結されているため、後リンクメンバ２５はそれらの挙動を同時に満たしながら反時計回りに回動し、支持点２４ａは全体として前方に略水平移動する。その結果、座受部２４全体は、若干前方へ進出しながらやや後傾し、着座する者に安楽姿勢をとらしめる。背支桿２３に掛かる荷重が消失した際には、座受部材２が前記とは逆動作をして、再び最初の状態に復帰する。
【００１８】
アウターシェル３は、座対応部分３１及び背もたれ対応部分３２を樹脂により一体成形した側面視Ｌ字形のもので、座対応部分３１の下面に座受部材２を装入する筐形の凹部３３を形成している。アウターシェル３の座対応部分３１と背もたれ対応部分３２との境界部近傍には開口３４が設けてあり、背支桿２３がこの開口３４を介してアウターシェル３の内面側に挿入される。そして、座対応部分３１が座受部２４を介して、背もたれ対応部分３２が背支桿２３を介して、それぞれ座受部材２に支持されて、アウターシェル３全体が座５及び背もたれ６に作用する荷重を支持する構造部材として機能している。図３に示すように、座対応部分３１の下面側部にはオプション部材取付位置３ａが設定され、この取付位置３ａの３カ所に肘掛け取付孔３５を貫通するとともに、この取付位置３ａに対応するアウターシェル３の上面に補強部材取付孔３６を突設している。補強部材取付孔３６の軸心ｍは成形金型の割方向に一致させて形成する。このような構成のもとで、アウターシェル３の下面中央部に位置する凹部３３に座受部材２を挿入させて凹部３３の下向面３３ａを座受部２４の上面２４ｃに添設させ、座受部２４の前端側の適宜位置とアウターシェル３の座対応部分３１の前端側とをビス７１を介して締着して、アウターシェル３と座受部材２とを止着する。また、背支桿２３の先端部２７にビス７２を挿通し、アウターシェル３の背対応部分３２に設けられた取付穴３７に締着することにより、アウターシェル３の背もたれ対応部分３２と座受部材２の背支桿２３とを止着する。
【００１９】
オプション部材たる肘掛け４は、例えば樹脂製のもので、アウターシェル３のオプション部材取付位置３ａに添設される肘掛け取付部材４１と、この取付部材４１の上部に連設される肘掛け本体４２とからなる。これらの取付部材４１及び肘掛け本体４２は勿論一体成形によって作られたものであってもよい。肘掛け取付部材４１には、オプション部材取付位置３ａに添設する際に肘掛け取付孔３５に連続する位置にビス挿通孔４３が設けてある。
【００２０】
座５及び背もたれ６は、図４に示すように、例えば一体成形されたもので、発泡ウレタンを成形したクッション材６１と、クッション材６１に沿って下面及び背面を支持する樹脂製のバッキングプレート６２と、クッション材６１の前面側を被覆しその周縁をバッキングプレート６２の背面に回り込ませた位置でタッカやのり付け等適宜の手段により止着された表面材６３とを具備してなる。バッキングプレート６２は、アウターシェル３の座対応部分３１および背もたれ対応部分３２に添設して支持され、その位置において背面に形成した被係合部６２ａ〜６２ｇを、図２に示すアウターシェル３の前面に形成した係合部３８ａ〜３８ｇに係合される。
【００２１】
このような構成の椅子において、アウターシェル３の取付強度を、図５に示す補強部材８によって補強するようにしている。補強部材８は、アウターシェル３の座対応部分３１の上面において左右に伸展して添設されるもので、座受部材２の係合孔に連続する位置にビス挿通孔８１を設けている。また、この補強部材８の左右両端をアウターシェル３の肘掛け取付位置３ａの内面に位置づけて肘掛け取付部８２を形成し、アウターシェル３の肘掛け取付孔３５の一部に連続するビス係合孔８３を肘掛け取付部８２に刻設している。また、配設位置において軸心ｍに直交する取付部８４を補強部材８に形成し、軸方向が軸心ｍに一致するビス挿通孔８５をこの取付部８４に設けている。
【００２２】
補強部材８によるアウターシェル３の補強は次のように行われる。座受部材２とアウターシェル３との取付強度の補強においては、補強部材８のビス挿通孔８１に止着具たるビス７３を挿通して座受部材２に締着することによって、補強部材８と座受部材２とがアウターシェル３を挾圧した状態で連結し、アウターシェル３の取付強度が補強される。また、肘掛け４の取付強度の補強においては、肘掛け４の肘掛け取付部材４１のビス挿通孔４３にビス７４を挿通して補強部材８のビス係合孔８３に締着することによって、肘掛け４と補強部材８とがアウターシェル３を挾圧した状態で連結し、肘掛け４の取付強度が補強される。さらに、補強部材８の取付部８４においてビス挿通孔８５にビス７５を挿通しアウターシェル３の補強部材取付孔３６に締着することによって、アウターシェル３はさらに補強部材８によって補強される。
【００２３】
以上のような構成の椅子であるならば、補強部材８は座５及び背もたれ６に隠されて外部から視認できない位置にあり、外観を損なうことなくアウターシェル３および肘掛け４の取付強度をそれぞれ補強することができる。特に、図示のように、肘掛け４を補強部材８の２箇所とアウターシェル３の１箇所にねじ止めする両持ち構造を採用しているため、肘荷重Ｆ１  及びＦ１  ´に対して、引き抜き方向Ｆ２  は補強部材８に、また圧縮方向Ｆ３  はアウターシェル３に応力を分担されることになり、荷重支持の適正化が図られるものとなる。また、補強部材８の肘掛け取付部８２は、アウターシェル３の肘掛け取付位置３ａの内面においてアウターシェル３に添設して肘掛け４との間でアウターシェル３を挾圧しているため、アウターシェル３と肘掛け４との取付強度はさらに補強されることになる。
【００２４】
また、アウターシェル３に突設された補強部材取付孔３６はアウターシェル３の成形金型の割方向に一致しており、補強部材取付孔３６を設けるためにアウターシェル３の成形金型に複雑な可動部などを設ける加工を行う必要はなく、成形金型を簡易化できコストダウンを図ることが可能である。また、補強部材８に対し肘掛け４を介して荷重が上下方向に作用する際には補強部材取付孔３６に大きな荷重がかかるが、図６に示すように、軸心ｍが荷重の方向に対して一定の角度を有しているため、アウターシェル３と補強部材８とを締着しているビス７５に直接大きな引抜力等が働くことはなく、より確実で高い止着強度を実現することが可能である。さらに、かかる方向に補強部材取付孔３６を設けておけば、アウターシェル３の厚み方向に取付穴を設ける場合に比べてアウターシェル３の肉厚をより有効利用することができ、ビス７５を長寸化することが可能になる。したがって、これらの事情が相まって、補強部材８はアウターシェル３との間に高い止着強度を確保することが可能となり、安全性や耐久性を有効に高めることが可能になる。一方、本実施例の椅子は、オプション部材を使用しない場合に前記補強部材８を容易に取り外すことも可能であり、このような状態で使用しても椅子としての自立性は十分に確保されるものである。
【００２５】
なお、本発明における構成は、以上説明したものに限定されないのは勿論である。例えば、オプション部材は肘掛け４に限定されるものではなく、メモ台などを用いた構成とすることも可能である。その他、本発明を逸脱しない範囲で種々変形が可能である。
【００２６】
【発明の効果】
本発明の椅子は、以上詳述したように、アウターシェルの上面に添設された補強部材によって座受部材およびオプション部材との取付強度の補強を行うため、補強部材は外部から視認できない位置にあり外観を損なうことをなく有効に補強を行うことが可能である。
【００２７】
また、オプション部材をアウターシェルを貫通する止着具により補強部材のオプション部材取付部に止着する構造とした場合には、オプション部材と補強部材との間にアウターシェルを挾圧することになり一層確実なアウターシェルの補強が可能となる。
【００２８】
さらに、補強部材をアウターシェルに取り付けるさい、アウターシェルに成形金型の割方向に一致する補強部材取付孔を設けて補強部材の取付部を止着具によって止着する構造とすれば、補強部材取付孔を設けるためにアウターシェルの成形金型に複雑な可動部などを設ける必要はなく、成形金型は簡易化されるためコストダウンを図ることが可能である。また、補強部材に対してオプション部材を介して荷重が上下方向に作用しても、補強部材取付孔の軸心が荷重の方向に対して一定の角度を有しているため止着具に直接大きな引抜力等が働くことがなく、より確実で高い止着強度を実現することが可能である。
【図面の簡単な説明】
【図１】本発明の一実施例を示す分解斜視図。
【図２】同実施例のアウターシェル側の側断面図。
【図３】同実施例のアウターシェル側の正断面図。
【図４】同実施例の座及び背もたれの部分側断面図。
【図５】同実施例の補強部材を示す分解斜視図。
【図６】同実施例の補強部材取付孔の構造を示す断面図。
【符号の説明】
２…座受部材
３…アウターシェル
４…オプション部材（肘掛け）
８…補強部材
３ａ…オプション部材取付位置（肘掛け取付位置）
３６…補強部材取付孔
７３…止着具（ビス）
７５…止着具（ビス）
８２…オプション部材取付部（肘掛け取付部）
８４…補強部材の取付部
ｍ…補強部材取付孔の軸心
【図１】
0003580863.tif 000002
【図２】
0003580863.tif 000003
【図３】
0003580863.tif 000004
【図４】
0003580863.tif 000005
【図５】
0003580863.tif 000006
【図６】
0003580863.tif 000007